(57)【要約】【課題】パネル電源制御を実行中に、ホスト装置から印刷データを受信した場合、その印刷データの属性に応じて、パネル電源制御を開始できるため、ユーザによる電源制御開始指示操作負担を軽減して、受信されている印刷データに対する印刷要求を速やかに指示することである。【解決手段】操作パネルに対するパネル電源制御機能を備えた、ホスト装置からの印刷データに基づいて画像形成を行う画像形成手段を備える画像形成装置において、ＭＰＵ８がホスト装置から受信した印刷データの属性に応じて操作パネル４に対する電源制御を行う構成を特徴とする。【選択図】      図１
2004152140.tif 000002
【特許請求の範囲】
【請求項１】
操作パネルに対するパネル電源制御機能を備えたホスト装置からの印刷データに基づいて画像形成を行う画像形成手段を備える画像形成装置において、
前記印刷形態に応じて操作パネルに対する電源制御を行う制御手段を備えることを特徴とする画像形成装置。
【請求項２】
前記印刷形態は、印刷データの属性に応じて決定されるものであり、前記印刷データの属性は、ホスト装置の印刷設定画面からの設定指示に基づいて生成されるものであることを特徴とする請求項１に記載の画像形成装置。
【請求項３】
前記制御手段は、前記印刷データの属性に応じて操作パネルに対応する電源を通電させるよう制御することを特徴とする請求項１又は２に記載の画像形成装置。
【請求項４】
前記操作パネルに対する電源制御には、バックライトをＯＮするよう制御することを特徴とする請求項１から３の何れかに記載の画像形成装置。
【請求項５】
前記印刷データの属性には、セキュアドプリント、或いは、試しプリントが含まれることを特徴とする請求項１から４の何れかに記載の画像形成装置。
【請求項６】
操作パネルに対するパネル電源制御機能を備えた画像形成装置と通信可能な情報処理装置において、
印刷形態を設定する設定手段と、
前記設定手段を介して設定された印刷形態に応じて印刷データにパネルを起動させる為の命令を付加する付加手段と、
を有することを特徴とする情報処理装置。
【請求項７】
操作パネルに対するパネル電源制御機能を備えたホスト装置からの印刷データに基づいて画像形成を行う画像形成手段を備える画像形成装置における電源制御方法であって、
前記印刷データの属性に応じて操作パネルに対する電源制御を行う制御ステップを備えることを特徴とする電源制御方法。
【請求項８】
前記印刷データの属性は、ホスト装置の印刷設定画面からの設定指示に基づいて生成されるものであることを特徴とする請求項７に記載の電源制御方法。
【請求項９】
前記制御ステップは、前記印刷データの属性に応じて操作パネルに対応する電源を通電させるよう制御することを特徴とする請求項７又は８に記載の電源制御方法。
【請求項１０】
前記操作パネルに対する電源制御には、バックライトをＯＮするよう制御することを特徴とする請求項７から９の何れかに記載の電源制御方法。
【請求項１１】
前記印刷データの属性には、セキュアドプリント、或いは、試しプリントが含まれることを特徴とする請求項７から１０の何れかに記載の電源制御方法。
【請求項１２】
操作パネルに対するパネル電源制御機能を備えた画像形成装置と通信可能な情報処理装置による電源制御方法において、
印刷形態の情報を取得する取得ステップと、
前記取得ステップにおいて取得された印刷形態の情報に応じて印刷データに操作パネルを起動させる為の命令を付加する付加ステップと、
を有することを特徴とする電源制御方法。
【請求項１３】
請求項７〜１２のいずれかに記載の電源制御方法を実現するプログラムを記憶したことを特徴とするコンピュータが読み取り可能な記憶媒体。
【請求項１４】
請求項７〜１２のいずれかに記載の電源制御方法を実現することを特徴とするプログラム。
【発明の詳細な説明】
【０００１】
【発明の属する技術分野】
本発明は、省電力モードを備えた画像形成装置及び情報処理装置及び電源制御方法及びコンピュータが読み取り可能な記憶媒体並びにプログラムに関するものである。
【０００２】
【従来の技術】
特開平０６−２８２１２７号公報には、外部装置から所定データが入力されても、パワーセーブモードを解除することなく維持する仕組みが知られている。また、印刷データが入力された場合にも操作パネルなどは起動させず、印刷データを出力する為の部位のみ起動させ、電力を節約する技術なども知られている。
【０００３】
一方、印刷方法の形態として、セキュアドプリントや、お試しプリントなども一般的に普及しつつある。
【０００４】
なお、ここで、セキュアドプリントとは、機密性を持った文書を印刷するための方法であり、プリンタが実際に印刷を開始して排紙する前に、そのプリンタで印刷しようとしたユーザがプリンタの操作パネルから自らを識別するユーザＩＤとそれを認証するパスワードを入力し、ユーザ確認が取れた印刷ＪＯＢは印刷を開始する印刷方法である。
【０００５】
また、お試しプリントとは、複数部数印刷をプリンタＪＯＢとして投入する際に、お試しプリントである事をプリンタに対して通知することで、プリンタは依頼部数に関わらず１部のみを印刷して待ち状態に遷移する。その後、ユーザがプリンタの操作パネルから指示をする事で、残り部数の印刷を継続するか、印刷を中止するかを選択できる印刷方法である。
【０００６】
【発明が解決しようとする課題】
しかしながら、プリントＪＯＢの中にはセキュアドプリント、リプリント、お試しプリント等プリント時にパネル操作を有するものがあり、節電制御実行中に、そのようなＪＯＢを処理する場合、従来の技術によればユーザはプリンタ本体に設けられた操作パネルを操作して、操作パネルをＯＮ状態として、さらに、バックライトをＯＮする等の操作をしなければならず、省電力化を促進するばかりにユーザの使い勝手が悪いという問題点があり改善の余地があった。
【０００７】
本発明は、上記の問題点を解決するためになされたもので、本発明の目的は、操作パネルに対するパネル電源制御機能を備えた、ホスト装置からの印刷データに基づいて画像形成を行う画像形成手段を備える画像形成装置において、印刷データの属性に応じて操作パネルに対する電源制御を行うことにより、パネル電源制御を実行中に、ホスト装置から印刷データを受信した場合、その印刷データの属性に応じて、パネル電源制御を開始できるため、ユーザによる電源制御開始指示操作負担を軽減して、受信されている印刷データに対する印刷要求を速やかに指示できる画像形成装置及び情報処理装置及び電源制御方法及びコンピュータが読み取り可能な記憶媒体並びにプログラムを提供することである。
【０００８】
【課題を解決するための手段】
本発明に係る第１の発明は、操作パネルに対するパネル電源制御機能を備えたホスト装置からの印刷データに基づいて画像形成を行う画像形成手段を備える画像形成装置において、前記印刷データの属性に応じて操作パネルに対する電源制御を行う制御手段（図１に示すＭＰＵ８が実行すべき図４に示すステップ（４０２），（４０３））を備えることを特徴とする。
【０００９】
本発明に係る第２の発明は、前記印刷形態は、印刷データの属性に応じて決定されるものであり前記印刷データの属性は、ホスト装置の印刷設定画面からの設定指示に基づいて生成されるものであることを特徴とする。
【００１０】
本発明に係る第３の発明は、前記制御手段は、前記印刷データの属性に応じて操作パネルに対応する電源を通電させるよう制御することを特徴とする。
【００１１】
本発明に係る第４の発明は、前記操作パネルに対する電源制御には、バックライトをＯＮするよう制御することを特徴とする。
【００１２】
本発明に係る第５の発明は、前記印刷データの属性には、セキュアドプリント、或いは、試しプリントが含まれることを特徴とする。
【００１３】
本発明に係る第６の発明は、操作パネルに対するパネル電源制御機能を備えた画像形成装置と通信可能な情報処理装置において、印刷形態を設定する設定手段（図３）と、前記設定手段を介して設定された印刷形態に応じて印刷データにパネルを起動させる為の命令を付加する付加手段（情報処理装置に設けられたＣＰＵが実行すべき図５に示すステップ（５０５））とを有することを特徴とする。
【００１４】
本発明に係る第７の発明は、操作パネルに対するパネル電源制御機能を備えた、ホスト装置からの印刷データに基づいて画像形成を行う画像形成手段を備える画像形成装置における電源制御方法であって、前記印刷データの属性に応じて操作パネルに対する電源制御を行う制御ステップ（図１に示すＭＰＵ８が実行すべき図４に示すステップ（４０２），（４０３））を備えることを特徴とする。
【００１５】
本発明に係る８の発明は、前記印刷データの属性は、ホスト装置の印刷設定画面からの設定指示に基づいて生成されるものであることを特徴とする。
【００１６】
本発明に係る第９の発明は、前記制御ステップは、前記印刷データの属性に応じて操作パネルに対応する電源を通電させるよう制御することを特徴とする。
【００１７】
本発明に係る第１０の発明は、前記操作パネルに対する電源制御には、バックライトをＯＮするよう制御することを特徴とする。
【００１８】
本発明に係る第１１の発明は、前記印刷データの属性には、セキュアドプリント、或いは、試しプリントが含まれることを特徴とする。
【００１９】
本発明に係る第１２の発明は、操作パネルに対するパネル電源制御機能を備えた画像形成装置と通信可能な情報処理装置による電源制御方法において、印刷形態の情報を取得する取得ステップ（図５に示すステップＳ５０２）と、前記取得ステップにおいて取得された印刷形態の情報に応じて（図５に示すステップＳ５０４）、印刷データに操作パネルを起動させる為の命令を付加する付加ステップ（図５に示すステップＳ５０５）とを有することを特徴とする。
【００２０】
本発明に係る第１３の発明は、第７〜第１２の発明のいずれかに記載の電源制御方法を実現するプログラムを記憶媒体に記憶したことを特徴とする。
【００２１】
本発明に係る第１４の発明は、第７〜第１２の発明のいずれかに記載の電源制御方法を実現するプログラムであることを特徴とする。
【００２２】
【発明の実施の形態】
〔第１実施形態〕
図１は、本発明の第１実施形態を示すに画像形成装置の構成を説明するブロック図である。
【００２３】
図１において、１はローカルエリアネットワーク（ＬＡＮ）でありＰＣ等の外部の情報処理装置から印刷原稿データを含むＪＯＢが送られてくる。尚、本実施形態における情報処理装置はＣＰＵ、ＲＡＭ、ＲＯＭ、ハードディスク、表示手段、マウス等の入出力手段、バス、通信ユニット等の通常の情報処理装置が備えるハードウェア構成を有するものとし、詳細な説明は省略する。
【００２４】
２は外部装置との双方向通信を掌る通信手段であるネットワークインタフェースカードであり、ここから印刷原稿データを含むＪＯＢがプリンタへ入力される。
【００２５】
３はプリンタエンジンであり、原稿印刷を掌る。
【００２６】
４は操作パネルであり、オンライン／オフライン切り替え、排紙等を指示する為の幾つかのボタンからなる。５はプリンタの状態表示を行う為の液晶表示パネル（ＬＣＤ）であり、バックライトを備える。また液晶表示パネル５の他にも様々な表示装置が適用可能であり、この表示部に係る電源が後述する制御処理により制御される。６はＲＡＭであり処理のワークエリア等に使われる。
【００２７】
７はプリンタを制御するプログラムが収められたＲＯＭである。８はマイクロプロセッサ（ＭＰＵ）であり、ＲＯＭ７に格納されたプログラムに従いプリンタを制御する。
【００２８】
９はハードディスク装置であり、画像データの蓄積など大容量データ処理のワークエリアとして使われる。特に複数部数指定時にはプリンタへ送られる画像データは１回分で、これをハードディスク装置９に蓄積しておき指定部数分の印刷処理をプリンタ側だけで行える。
【００２９】
尚、本実施形態に適用可能な画像形成装置としては、レーザービームプリンタはもちろん、複写機や、ファクシミリや、プリンタ及びファクシミリ及びコピー機能を統合的に備えたデジタル複合機などが想定される。更にその画像形成装置が備える画像形成手段としては、電子写真方式を採用したもの、インクジェット方式を採用したものなど様々な方式が想定される。
【００３０】
図２は、図１に示した操作パネル４に表示されるセキュアドプリント画面の例を示す図である。
【００３１】
図２において、２１は印刷ＪＯＢオーナを識別する情報であり、領域２２にユーザＩＤが表示される。２３はパスワード入力項目であり、領域２４に操作パネル４にある数値キーなどを使ってユーザＩＤに対応するパスワードが入力される。２５，２６はＪＯＢを選ぶためのボタンであり、複数のセキュアドプリントＪＯＢがプリンタへ送られている場合にはこのボタンでユーザに該当するＪＯＢを選ぶ。２７はＯＫボタン、２８はキャンセルボタンである。
【００３２】
図３は、図１に示した画像形成装置と通信可能な情報処理装置における印刷設定画面の一例を示す図であり、印刷指示をＰＣ（情報処理装置）から行う場合にＰＣの表示部に表示されるプリンタドライバダイヤログ例に対応する。このプリンタドライバダイヤログは印刷設定画面に相当させることができる。尚、このプリンタドライバダイヤログは１形態であり，プリンタドライバダイヤログの他に、分散印刷ユーティリティー等の各種設定画面に適用することが想定される。
【００３３】
図３において、印刷方法フィールドには通常印刷とセキュアドプリントを指示するラジオボタン３１，３２が配置される。また、印刷部数フィールドには部数を指定するコントロール３３とお試しプリントを指定するチェックボックス３４が配置される。
【００３４】
以上のラジオボタン３２、チェックボックス３４を選ぶことにより印刷ＪＯＢ中にセキュアドプリント、お試しプリントの指定が行われる。
【００３５】
そして、設定画面を介して入力された設定に基づいて印刷ジョブの属性、即ち、印刷ジョブがどのような種類のジョブに相当するのかを示す属性情報が生成される。例えば、図３の例では、属性情報として、セキュアドプリントの属性情報や、お試しプリントの属性情報が生成される。該生成された属性情報は印刷データのヘッダ部分に付加しても良いし、印刷データと関連付けて印刷データと別途に送信するようにしても良い。尚、個々で，生成された属性情報は後述する図４のステップＳ４０１にて画像形成装置にて認識される。
【００３６】
そして、生成された属性情報は同じくＰＣ（情報処理装置）にて生成された印刷データに付されて画像形成装置に通信回線（ＬＡＮ）１を介して送信される。印刷データと属性情報とを受信した画像形成装置では属性情報に応じた表示部に係る電源制御を実行する。
【００３７】
図４は、本発明に係る画像形成装置におけるデータ処理手順の一例を示すフローチャートであり、図１に示したＣＰＵがＲＯＭ／ＨＤ（ハードディスク）に記憶された制御用プログラムを読み込み実行することに基づいて実現されるものとする。なお、（Ｓ４０１）〜（Ｓ４０４）は各ステップを示す。
【００３８】
まず、所定の通信回線を介して通信可能な情報処理装置であるところのホストコンピュータから送信されてくる印刷データを受信する。印刷データとしてはページ記述言語に基づく描画情報はもちろん、ビットマップデータに展開されたものに基づく描画情報も含むものとする。
【００３９】
そして、印刷データのヘッダ部などに含まれる印刷データの属性情報を抽出し、該抽出した属性情報からそのＪＯＢの属性情報を認識する（ステップＳ４０１）。
【００４０】
そして、ステップＳ４０１で認識した印刷データの属性情報に基づいて、パネルに関わる電源を起動（通電）させるか否かを判断する（ステップＳ４０２）。例えば、印刷時にパネル操作を必要とするセキュアドプリント、リプリント、お試しプリント等のパネル操作を必要とする印刷形態の属性であると判断された場合には、ステップＳ４０２で、Ｙｅｓと判断され、処理をステップＳ４０３に移行させる。
【００４１】
ここで、操作パネル４に関わる電源を起動させるとユーザの利便性が向上するようなジョブの属性としては、パネル操作が必要とされるＪＯＢが想定され、該想定されるＪＯＢとしてセキュアドプリント、お試しプリントなどが含まれる。
【００４２】
そして、ステップＳ４０３の処理を終えた後、処理をステップＳ４０４に移行させ、操作パネル４を介して所定の操作が施された後、印刷処理が行われ、処理を終了する。
【００４３】
なお、ステップＳ４０４での印刷処理としては、紙媒体への画像の記録はもちろん、ハードディスクに保持されたジョブの格納場所を変更する処理なども含まれる。
【００４４】
一方、ステップＳ４０２で、パネル操作が必要とされるＪＯＢではないと判断された場合には、処理をステップＳ４０４へ移行させ、上に説明した印刷処理と同様に所定の処理を実行する。
【００４５】
このような場合には、操作パネル４に関わる電源がＯＦＦされている場合には、操作パネル４の電源はＯＦＦされたままの状態となり、印刷処理に必要な部分のみに電源が供給されることとなる。
【００４６】
例えば、プリンタコントローラ及びプリンタエンジンへの電源が供給され、電源の供給が必要のない、パネルに関わる電源などは供給されないような電源制御が実行される。
【００４７】
〔第２実施形態〕
上記第１実施形態では、印刷データの生成時にパネル操作を必要とする印刷形態の属性を画像形成装置と通信可能な情報処理装置にて生成するようにし、この生成された属性に応じた操作パネルに対する電源制御を行うことを説明してきた。
【００４８】
第２実施形態では属性に基づく電源制御ではなく、画像形成装置が情報処理装置から指示される操作パネル電源制御コマンドを解釈する形態を説明する。
【００４９】
図５は、本発明に係る情報処理装置におけるデータ処理手順の一例を示すフローチャートであり、情報処理装置に設けられたＣＰＵがＲＯＭ／ＨＤ（ハードディスク）に記憶された制御用プログラムを読み込み実行することに基づいて実現されるものとする。なお、（Ｓ５０１）〜（Ｓ５０６）は各ステップを示す。
【００５０】
まず、ステップＳ５０１では文書作成ソフトウエアなどからＯＳを介して印刷要求が引き起こされたか否かの判断を行う。
【００５１】
Ｎｏと判断されればステップＳ５０１の判断処理を所定のタイミングで繰り返し、Ｙｅｓと判断された場合には、処理をステップＳ５０２に移行させる。
【００５２】
そして、ステップＳ５０２では印刷形態の属性の情報の取得が、ＡＰＩ（Ａｐｐｌｉｃａｔｉｏｎ  Ｐｒｏｇｒａｍ  Ｉｎｔｅｒｆａｃｅ）等の機能を利用することにより取得される。
【００５３】
そして、ステップＳ５０３においては、取得された情報に基づいて印刷形態の属性が判定される。具体的には、第１実施形態にて説明したセキュアドプリント、リプリント、お試しプリント等のパネル操作を必要とするような印刷形態を伴ったものの判定がなされる。
【００５４】
そして、ステップＳ５０４でＮｏと判断されれば通常どおり、アプリケーションデータに従った描画関数に基づく印刷データ（頁記述言語）が通信回線を介して画像形成装置に送信される。送信されてくる印刷データを受信した画像形成装置では受信した印刷データに基づく印刷処理を行う。印刷処理については第１実施形態にて説明した通りである。
【００５５】
一方、ステップＳ５０４でＹｅｓと判断されれば、処理をステップＳ５０５に移行させ、ステップＳ５０５では操作パネルを起動させる為の命令を生成すると共に印刷データに付加する。尚、印刷データを生成するタイミングはステップＳ５０５の前後でも構わないし、ステップＳ５０５と平行して行わせるようにしても良い。
【００５６】
そして、ステップＳ５０６では操作パネルを起動させる為の命令が付加された印刷データが情報処理装置に対して送信される。
【００５７】
尚、ステップＳ５０５において生成される操作パネルを起動させる為の命令の形態は特に限定されるものではなく、結果として操作パネルが起動させるような用途に利用される命令ではれば適宜採用可能であることが想定される。例えば、空白頁記述言語を流用するようにしてもよいし、ジョブ言語の一部を流用するようにしても良い。また、操作パネルを起動させる為の特別のコマンドを設けるような形態でも良い。
【００５８】
このように第２実施形態によれば、画像形成装置側で印刷形態の属性を判断する必要がなくなり、画像形成装置では操作パネルを起動させる為の命令が印刷データに含まれるか或は関連付けられているかを判断すれば良く、情報処理装置側に属性判定の処理を分散させることができる。
【００５９】
また、操作パネルを起動させるような指示を別途行うことが無いので、ユーザは煩雑な作業を伴うことなく、効率よく操作パネルを起動することができる。
【００６０】
〔第３実施形態〕
上記第１及び第２実施形態では、操作パネル４に対するバックライトをＯＮする制御について説明したが、操作パネル４に対するコントラストや照度を段階的に制御するように構成して、操作パネル４に対する消費電力をさらに節減できるように構成してもよい。
【００６１】
また、上記実施形態において、操作パネル４に対するバックライトをＯＮした後、操作パネル４に対する入力操作が所定時間内に行われるか否かを判定して、再度操作パネル４のバックライトを消灯する制御を行ってもよい。
【００６２】
また、第１及び第２実施形態では、セキュアドプリント、リプリント、お試しプリント等をプリント時にパネル操作を必要とするものとして説明してきたが、どのような形態のジョブをパネル操作を必要とするようなものとするかを設定可能にすることも想定される。例えば、第１実施形態に対しては印刷形態（セキュアドプリント、リプリント、お試しプリント等）とパネル操作を必要とするジョブであるか否かの対応を示すテーブルを画像形成装置に設定させるようなことが想定される。また、第２実施形態においては、どのような印刷形態に対して操作パネルを起動させる為の命令を付加するか否かのテーブルを設定できるようにすれば良い。これら設定された情報は第１実施形態におけるステップＳ４０１或は第２実施形態におけるステップＳ５０４などで利用される。
【００６３】
上記実施形態によれば、パネル等の消費電力を効率よく節約することができると共に、ユーザにとって、使い勝手の良い、画像形成装置を提供することができるようになる。
【００６４】
また、パネル操作が必要と想定されるような場合に、ユーザの指示なしにパネルに関わる電源を供給するようにするので、例えば、操作パネルへの操作を減少させることができ、結果として操作パネルの寿命を長くすることができる。
【００６５】
また、よりユーザの要望に沿った操作パネルの設定を可能とするようにしたので、ユーザの用途に従った操作パネル電源制御を実現することができるようになった。
【００６６】
以下、図６に示すメモリマップを参照して本発明に係る画像形成装置で読み出し可能なデータ処理プログラムの構成について説明する。
【００６７】
図６は、本発明に係る画像形成装置で読み出し可能な各種データ処理プログラムを格納する記憶媒体のメモリマップを説明する図である。
【００６８】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【００６９】
さらに、各種プログラムに従属するデータも上記ディレクトリに管理されている。また、各種プログラムをコンピュータにインストールするためのプログラムや、インストールするプログラムが圧縮されている場合に、解凍するプログラム等も記憶される場合もある。
【００７０】
本実施形態における図４，図５に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【００７１】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【００７２】
この場合、記憶媒体から読み出されたプログラムコード自体が本発明の新規な機能を実現することになり、そのプログラムコードを記憶した記憶媒体は本発明を構成することになる。
【００７３】
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭ，ＥＥＰＲＯＭ等を用いることができる。
【００７４】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００７５】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７６】
本発明は上記実施形態に限定されるものではなく、本発明の趣旨に基づき種々の変形（各実施形態の有機的な組合せを含む）が可能であり、それらを本発明の範囲から排除するものではない。
【００７７】
【発明の効果】
以上説明したように、本発明によれば、操作パネルに対するパネル電源制御機能を備えた、ホスト装置からの印刷データに基づいて画像形成を行う画像形成手段を備える画像形成装置において、印刷データの属性に応じて操作パネルに対する電源制御を行うので、パネル電源制御を実行中に、ホスト装置から印刷データを受信した場合、その印刷データの属性に応じて、パネル電源制御を開始できるため、ユーザによる電源制御開始指示操作負担を軽減して、受信されている印刷データに対する印刷要求を速やかに指示できるという効果を奏する。
【図面の簡単な説明】
【図１】本発明の第１実施形態を示す画像形成装置の構成を説明するブロック図である。
【図２】図１に示した操作パネルに表示されるセキュアドプリント画面の例を示す図である。
【図３】図１に示した画像形成装置と通信可能な情報処理装置における印刷設定画面の一例を示す図である。
【図４】本発明に係る画像形成装置におけるデータ処理手順の一例を示すフローチャートである。
【図５】本発明に係る情報処理装置におけるデータ処理手順の一例を示すフローチャートである。
【図６】本発明に係る画像形成装置で読み出し可能な各種データ処理プログラムを格納する記憶媒体のメモリマップを説明する図である。
【符号の説明】
１  ＬＡＮ
２  ＮＩＣ
３  プリンタエンジン
４  操作パネル
５  ＬＣＤ
６  ＲＡＭ
７  ＲＯＭ
８  ＭＰＵ
【図１】
2004152140.tif 000003
【図２】
2004152140.tif 000004
【図３】
2004152140.tif 000005
【図４】
2004152140.tif 000006
【図５】
2004152140.tif 000007
【図６】
2004152140.tif 000008